(57)【要約】【課題】発光部と表示部とを分離した構造において、正確な表示機能を発揮し、組立性も良好な表示装置を提供する。【解決手段】発光部２６と表示部２４とを分離した構造の表示装置において、発光部２６と表示部２４とを位置決めする位置決め機構として、表示部側に係止爪４１を設け、発光部２６の発光ガイド２５に係合穴４０を形成し、前板１３を機器本体１に装着する際、前板１３の回動により係止爪４１が係合穴４０の下側開放ガイド穴を通って角穴部４０ｂに係合するため、左右方向の位置ずれのおそれがなく、正確な油量表示が可能となる。【選択図】図４
2004061038.tif 000002
【特許請求の範囲】
【請求項１】
機器本体側の発光ガイド付きの発光部と、該発光部に対向して機器本体に着脱自在な外装板側に設けられ運転状況を前記発光部の発光により表示する表示部とを備え、前記発光部と表示部とを分離してなる表示装置であって、前記発光部及び表示部のうちの一方に形成された係止穴と、他方に形成された前記係止穴に係止する係止爪とからなる位置決め機構が設けられたことを特徴とする表示装置。
【請求項２】
前記位置決め機構は、左右方向の位置決めと上下方向の位置決めを行うものである請求項１に記載の表示装置。
【請求項３】
前記係止爪は、外装板の表示部近傍の裏面側から少なくとも２個以上突出形成され、前記係止穴は、前記係止爪に対向して発光ガイドの前面に少なくとも２個以上形成されたことを特徴とする請求項１または２に記載の表示装置。
【請求項４】
前記係止穴は、一方向に開口が形成され、その開口先端部に向かって広がる形状であることを特徴とする請求項１〜３のいずれかに記載の表示装置。
【請求項５】
前記発光部に複数のランプが配列され、前記発光ガイドが前記ランプに対応して複数の発光ガイド部に区画され、前記表示部は、前記複数の発光ガイド部に対応する複数の表示を備えたことを特徴とする請求項１〜４のいずれかに記載の表示装置。
【請求項６】
請求項１〜５のいずれかに記載の表示装置を備えたことを特徴とする液体燃料燃焼装置。
【請求項７】
前記表示装置が油量表示であることを特徴とする請求項６に記載の液体燃料燃焼装置。
【発明の詳細な説明】
【０００１】
【発明の属する技術分野】
本発明は、発光部と表示部とを備えた表示装置に関し、特に、灯油等の燃料を燃焼させる液体燃料燃焼装置に好適に使用できる表示装置に関するものである。
【０００２】
【従来の技術】
従来、この種の表示装置としては、特開２００１ー２３６８２９号公報に見られるように、温風暖房機において、本体側の発光部と、前パネル側のレンズとに分割してその間を開放状態にすることにより、発光部の発熱がこもることがないようにし、また、リード線の接続と前パネルの取付とを分離した作業とすることで、組立・分解を容易にし、生産性・整備性を大きく向上できるものが提案されている。
【０００３】
また、特許第３２２１２５７号公報には、温風暖房機において、操作銘板を前板に貼り付けて前板を機器本体に組み込んだ際に操作ベースと対向するように構成し、操作ベースとの嵌合を気にすることなく、前板を機器本体に取り付けることができるようにし、組立性を向上させ、形状、デザインを自由に設計できる表示装置が提案されている。
【０００４】
【発明が解決しようとする課題】
上記従来の温風暖房機の表示装置では、本体側の発光部と前パネル側のレンズとを分割する構成や、操作銘板と操作ベースとの嵌合を気にすることなく、前板を機器本体に取り付けることができる構成を採用することにより、組立性を向上させている。
【０００５】
しかしながら、特開２００１ー２３６８２９号公報では、発光部とレンズとの位置決めがなされておらず、また、特許第３２２１２５７号公報では、操作銘板と操作ベースとの位置決めがなされていないため、組立時に両構成部材間に位置ずれが生じ、表示機能に問題が生じるおそれがあった。
【０００６】
特に、油量を複数のランプの点灯・点滅で表示する液体燃料燃焼装置などでは、発光部と表示部との位置ずれが生じた場合、使用者に正確な油量表示を行えないといった問題が生じる。
【０００７】
本発明は、上記課題に鑑み、発光部と表示部とを分離した構造において、正確な表示機能を発揮し、組立性も良好な表示装置及びこれを搭載した液体燃料燃焼装置の提供を目的としている。
【０００８】
【課題を解決するための手段】
上記目的を達成するため、本発明は、発光部と表示部とを分離した構造の表示装置において、発光部と表示部とを位置決めする位置決め機構を設け、正確な表示機能と良好な組立性を確保するものである。
【０００９】
すなわち、本発明においては、機器本体側の発光ガイド付きの発光部と、該発光部に対向して機器本体に着脱自在な外装板側に設けられ運転状況を前記発光部の発光により表示する表示部とを備え、前記発光部と表示部とを分離してなる表示装置であって、　前記発光部及び表示部のうちの一方に形成された係止穴と、他方に形成された前記係止穴に係止する係止爪とからなる位置決め機構が設けられたことを特徴としている。
【００１０】
この構成によると、互いに分離した表示部と発光部とを係止穴と係止爪とからなる位置決め機構により、位置決め固定するため、表示部と発光部とのずれがなく、正確な表示機能を確保することができる。
【００１１】
この位置決め機構は、左右方向の位置決めのみならず、上下方向の位置決めを行うことができる。この構成によると、左右上下の位置決めでさらに正確な表示が可能となる。
【００１２】
上記位置決め機構においては、係止爪は、外装板の表示部近傍の裏面側から少なくとも２個以上突出形成され、前記係止穴は、前記係止爪に対向して発光ガイドの前面に少なくとも２個以上形成された構成を採用することができる。この構成によると、２個以上の係止爪と係止穴との組合わせにより、位置決め精度が良好となる。
【００１３】
また、前記係止穴は、一方向に開口が形成され、その開口先端部に向かって広がる形状を採用することができる。この構成によると、係止爪を係止穴に入れやすくして組立性を向上させることができる。
【００１４】
また、本発明においては、前記発光部に複数のランプが配列され、前記発光ガイドが前記ランプに対応して複数の発光ガイド部に区画され、前記表示部は、前記複数の発光ガイド部に対応する複数の表示を備えたことを特徴とする表示装置に好適に適用できる。この構成によると、複数の表示と発光部とが発光ガイド部を介して正確に対向することができ、正確な表示機能を発揮することができる。
【００１５】
上記の表示装置は、液体燃料燃焼装置、特に、油量表示に適用すれば、例えば、複数の表示により油量を表示する場合でも正確な表示が可能となる。
【００１６】
【発明の実施の形態】
以下、本発明の実施形態を図面に基づいて説明する。図１は本発明の一実施形態である液体燃料燃焼装置の正面側斜視図、図２は同じくその背面側の斜視図、図３は前板を取り外した状態を示す液体燃料燃焼装置の斜視図である。
【００１７】
図において、１は機器本体、２は温風を案内するルーバ２ａが取り付けられた温風吹出口、３は本体の上面前側に配設された操作表示部、４は本体前面の中央部に配置され油量を表示する表示装置、５は本体蓋を兼ね備えた給油タンク、６は背面の温風取入口７にファンガード８を介して取り付けられた対流ファン、９は室温検知用サーミスタ、１０は給油タンクの把手、１１は給油タンクの油量計、１２は機器本体の下部に形設された燃焼部である。
【００１８】
なお、本実施形態は液体燃料燃焼装置の表示装置に関するものであり、液体燃料の経路については本発明と直接関連しないので、その経路構成を簡単に説明すると、本実施形態の液体燃料燃焼装置は、給油タンク５の燃料が電磁ポンプにより気化器に送られ、気化器ヒータによって加温された気化器内部で燃料が気化して燃焼部１２のバーナに送られて燃焼する。この燃焼空気は、温風取入口７から対流ファン６により取り入れた空気を暖め、暖められた空気は、機器本体１の前面の温風吹出口２から室内に吹出すようになっている。
【００１９】
機器本体１の外装体は、図３に示すように、外装板として前面を覆う前板１３と、上面を覆う上面板１４と、側面及び背面を覆う背面板１５とから構成され、背面板１５が置台１６上に固定されている。
【００２０】
表示装置４は、後述するように前板側の表示部２４と機器本体側の発光ガイド２５付き発光部２６とから構成されるが、表示部２４が前板１３に、また、発光部２６が機器本体１側の制御基板２０の取付板２１に取り付けられる。
【００２１】
そこで、前板１３及び制御基板２０並びに基板取付板２１の構成を簡単に説明すると、まず、前板１３は、その上縁に上向きの挿入爪１７が形成され、前板１３の側縁は背面板１５の前面開口縁フランジ１５ａにビス止めされる。前板１３の取り付けは、図６の一点鎖線で示すように、その挿入爪１７を上面板１４の下側フランジ１４ａに形成された孔１８に下側から係合した後、この挿入爪１７を支点として前板１３を下回動して背面板１５の開口縁フランジ１５ａに合わせ、ビス止めすることにより、外装体の前面開口を塞ぐようになっている。
【００２２】
背面板１５の前面開口の上部には、図３に示すように、運転を駆動制御するマイコンや回路を搭載した制御基板２０と、該制御基板２０を機器本体の背面板１５に取り付けるための基板取付板２１とが配置されている。
【００２３】
基板取付板２１は、図４に示すように、その下端が前方に折曲形成されて補強リブ２１ａが形成され、また、取付板２１の下部には、発光部２６の発光ガイド２５を取付固定するためのビス孔２１ｂが形成されている。そして、この基板取付板２１は、図３に示すように、左右両端が背面板１５の開口縁フランジ１５ａにビス止めされている。
【００２４】
このように、表示部２４を取り付ける前板１３は機器本体１に対して着脱自在な構成となっており、また、発光部２６を取り付ける制御基板２０及び基板取付板２１も機器本体１にビス止めされる構成となっている。そのため、ビス止めなどの取付誤差により表示部２４と発光部２６との間に位置誤差を生じるおそれがあるので、本実施形態の油量表示装置４は以下の構成を採用している。
【００２５】
図４は油量表示装置の分解斜視図、図５は発光ガイドの正面図、図６は表示装置の位置決め案内手段を示す側面断面図、図７は発光ガイドの側面断面図である。表示装置４は、機器本体１に着脱自在な前板１３側に設けられ運転状況（油量）を発光により表示する表示部２４と、該表示部２４と分離して表示部２４を発光させる機器本体１側の発光ガイド２５付きの発光部２６と、これら分離した発光部２４と表示部２５とを位置決めする位置決め機構２７とを備え、該位置決め機構２７は、表示部２４側に形成された係止爪４１と、発光部２６側に形成された係止穴４０とから構成されている。
【００２６】
表示部２４は、図４に示すように、前板１３の略中央部で温風吹出口２のルーバ２ａの上側で前板１３を一段低くした凹部３０に貼付けられている。この表示部２４は、透明な樹脂製シート２４ａの表面側にＵＶ樹脂シート２４ｂが貼付けられ、裏面側には絵表示２４ｅや光源表示２４ｄが裏面印刷された印刷層２４ｃが形成され、更に光を拡散させる拡散加工、ホログラム加工が施されてシート状に形成されている。
【００２７】
印刷層２４ｃは、光源表示を除いて遮光性印刷層で形成され、左右方向で３列、上下方向で３段の丸表示２４ｄを採用し、油量に応じて発光部２６からの光により、上下方向の丸表示を消灯あるいは点灯させるようにしている。
【００２８】
また、前板１３の凹部３０には、その略中央部に表示部２４に発光部２６のＬＥＤランプ３１からの光を通過させるための長方形の角穴３２が形成されている。この角穴３２の左右両側縁部には、位置決め機構２７の左右一対の係止爪４１が後方に折曲形成されている。係止爪４１は、その先端上縁が先細４１ａに形成され、後述する係止穴４０に係合しやすいように設定されている。また、一対の係止爪４１は、互いにその先端が近付く内側方向（又は互いに広がる外側方向）に向けて形成され、係止穴４０への係合時に左右の位置決めが確実に行われるように設定されている。
【００２９】
一方、発光部２６は、発光ガイド２５と、ＬＥＤランプ３１が搭載されたランプ基板３３とを備えている。発光ガイド２５は、図４及び図７に示すように、中央部の箱型構造のガイド部３５と、その両側に一対形設されたランプ基板係合片３６と、ガイド部３５の下方に形設されたランプ基板位置決めピン３７と、前記係合片３６よりも左右方向外側に形設された位置決め機構２７の係止穴４０と、発光ガイドを基板取付板２１に位置決め固定する取付部３８とを備え、これらが、合成樹脂により一体成形されてなるものである。
【００３０】
ガイド部３５は、箱体の内部を仕切壁３５ａにより上下３段に区画され、その区画室前面が開口されたガイド窓３５ｂとなっている。また、後壁の左右方向中央にはＬＥＤランプ３１を挿入する挿入孔３５ｃが形成されている。各区画室は、その後壁から表面側のガイド窓３５ｂに向かって拡がる横長の角穴形状となっている。なお、後壁の横方向幅は、ＬＥＤランプの挿入孔３５ｃの約３倍の大きさに設定され、ガイド窓３５ｂは、表示部２４の左右３列の丸表示の左右幅よりも大きく設定され、中央にある１つの光源（ＬＥＤランプ）で左右３個の丸表示を一度に点灯・点滅および消灯できるようにしている。なお、ＬＥＤランプ３１は、丸表示個数に対応して、その個数分だけ設けてもよい。
【００３１】
ランプ基板係止片３６は、ガイド部３５の前面を形成する前面板３９にガイド部よりも左右外側に形成された抜き穴３６ａから後方に突出するように形成され、先端にランプ基板３３に形成された一対の孔３３ａに係止する爪３６ｂが形成されている。発光ガイド２５は、位置決めピン３７は、ランプ基板３３の下部中央に形成されたピン孔３３ｂに係合するようガイド部３５の前面板３９の下部中央に突出形成されている。
【００３２】
位置決め機構２７の係止穴４０は、図５に示すように、前面板３９に下方側が広く上方側に向かって逆Ｖ字状に形成された爪ガイド穴部４０ａと、この穴に連通する細長の角穴部４０ｂとから構成され、角穴４０ｂの表面は、左右ともテーパ４０ｃをなしている。
【００３３】
取付部３８は、前面板３９の上端から後方に延設され、その後端に立上り部３８ａが形成されて断面略Ｌ字状に形成され、この立上り部３８ａにはビス孔４３が形成され、発光ガイド２５がビス４３により基板取付板２１にビス止めされている。
【００３４】
前記位置決め機構２７は、上述の左右方向の位置決めばかりでなく、上下方向において位置決めを行えるようになっている。図６は表示装置の位置決め機構を示す側面断面図であるが、一点鎖線で示す発光ガイド２５は、基板取付板２１への取付状態で、係止穴４０の位置が高さＨ分だけ下方にずれた状態で取り付けられ、係止爪４１を係止穴４０に係合した状態で、係止爪４１が係止穴４０の上縁を上方に押し上げて、係合するようになっている。従って、係止爪４１の係合状態では、左右の位置決めと少なくとも上方の位置が決定され、発光部２６と表示部２４とが正確に対向できるようになっている。
【００３５】
ランプ基板３３は、図４に示すように、上下に３個のＬＥＤランプ３１が搭載され、そのランプ３１の左右両側には、発光ガイド２５の係止片３６を係合するための孔３３ａが形成され、また、ＬＥＤランプ３１の下方には発光ガイド２５の位置決めピン３７を挿入する孔３３ｂが形成されている。
【００３６】
３段のＬＥＤランプ３１は、給油タンク５の底部に設けられた油量検知手段（図示略）からの信号を制御基板のマイコン（不図示）によって演算処理し、その油量状況によって、上段から下段のランプ３１の点灯あるいは点滅により報知するものである。例えば、油量が満量のときは全ランプを点灯させ、油量が少なくなると共に上段から消灯させ、燃料がなくなり給油が必要なときには全ランプ３１が点滅する構成を採用することができる。
【００３７】
このランプ基板３３を発光ガイド２５に組立てるには、まず、ＬＥＤランプ基板３３のＬＥＤランプ３１を発光ガイド２５のガイド部３５の後壁の個々の挿入孔３５ｃに挿入し、ランプ基板３３の位置決めピン用孔３３ｂを発光ガイド２５の位置決めピン３７に挿入し、この挿入と同時に発光ガイド２５の係止片３６を外側に広げてランプ基板３３の係止孔３３ａに装着して、広げた係止片３６を元に戻すと、ＬＥＤランプ基板３３が発光ガイド２５に装着されて完成される。
【００３８】
ＬＥＤランプ基板３３を装着した発光ガイド２５は、その立上り部３８ａを基板取付板２１の後面に沿わせて前方からビス４３によりビス止めすると、機器本体１側の発光部２６が完成する。
【００３９】
この状態で、前板１３の上縁挿入爪１７を上面板１４の内側に挿入し、前板を機器本体１側に向かって押圧回動すると、前板１３の油量表示部２４の裏面係止爪４１が、機器本体側の発光ガイド２５の係止穴４０の逆Ｖ穴部側から挿入され、前板１３の機器本体側に動きにつれて、係止爪４１が逆Ｖ穴側より角穴側に移行する。
【００４０】
前板１３の係止爪４１が、機器本体側の発光ガイド２５の角穴４０ｂに収まり、最後に前板１３を機器本体側にビスにより螺合すると前板１３の組立が完了する。この際、前板１３と背面板１５の位置がずれていたとしても、前板１３側の係止爪４１が発光ガイド２５の係止穴４０のテーパ４０ｃに沿って角穴部４０ｂに収まるので、左右方向の位置ずれが解消できる。
【００４１】
また、基板取付板２１に取り付けられる発光ガイド２５は、基板取付板２１の背面板１５へのビス止め位置誤差を見越して、予め高さＨ分だけ下方位置に配置しており、前板１３の閉塞時に挿入爪１７を支点とする下方回動したときに、係止爪４１のテーパにより係止穴４０の角穴４０ｂの上縁を上方に押し上げるので、表示部４１と発光ガイド２５の上位置を位置決めすることができる。従って、上下３段に配列されたＬＥＤランプ３１の上下位置と、表示部２４の上下３段の光源表示とが対応し、正確な油量表示を行うことができる。
【００４２】
このように、前板１３の係止爪４１が、機器本体側の発光ガイド２５の係止穴４０ｂに収まるようにすることで、機器本体側のＬＥＤランプ３１と前板１３の表示部２４との位置関係が左右及び少なくとも上方にずれるおそれがなくなり、正確な油量表示を行うことができる。
【００４３】
なお、本発明は上記実施形態に限定されるものではなく、本発明の範囲内で修正・変更を加えることができるのは勿論である。例えば、上記実施形態では油量表示を行う表示装置を例示したが、油量表示に限らず、他の運転状況、例えばタイマー表示について本発明を適用してもよい。また、位置決め機構２７は、上記実施形態において、一辺が逆Ｖ字形に開放したガイド穴を示したが、４辺が閉塞した係止穴であってもよい。
【００４４】
【発明の効果】
以上のように、本発明によれば、発光部及び表示部のうちの一方に係止穴を、他方に係止穴に係止する係止爪を備えた位置決め機構を設けたので、表示装置が外装板と機器本体側とに分離された構成であっても、位置ずれを起こすことなく正確な表示が可能となり、また、組立性が良好となり、商品完成度を大きく向上することができる。
【図面の簡単な説明】
【図１】本発明の一実施形態である液体燃料燃焼装置の外観斜視図
【図２】図１の背面側の斜視図
【図３】機器本体の前板を取り外した状態を示す液体燃料燃焼装置の外観斜視図
【図４】図１の前板中央の表示装置の分解斜視図
【図５】発光ガイドの正面図
【図６】図４の位置決め機構の作動状態を示す断面図
【図７】図１の表示装置の断面図
【符号の説明】
１　　機器本体
５　　給油タンク
１３　　前板（外装板）
１４　　上面板
１５　背面板
２４　表示部
２５　発光ガイド
２６　　発光部
２７　位置決め機構
４０　係止穴
４１　係止爪
【図１】
2004061038.tif 000003
【図２】
2004061038.tif 000004
【図３】
2004061038.tif 000005
【図４】
2004061038.tif 000006
【図５】
2004061038.tif 000007
【図６】
2004061038.tif 000008
【図７】
2004061038.tif 000009